(57)【要約】      （修正有）【課題】ハンガーを包装袋の一部に嵩張らないようにして収納可能に設けることにより、該ハンガーを必要に応じて引き出す等により衣料品を吊垂して陳列展示できるようにした吊垂陳列可能な衣料用包装袋を提供する。【解決手段】一端側を開口してカッターシャツ等の折り畳んだ状態とした衣料品の出し入れを可能とし、かつ開口部を閉じるように折り返し可能に蓋片８を連接した筒状袋の他端側に襠部３を一体に形成して構成する包装袋Ｂと、包装袋Ｂの外側で折り返したハンガー取付片４を収納できるように形成したハンガー収納部と、ハンガー取付片４に揺動可能にして取り付けたハンガーＨとより構成する。【選択図】図１
0003166850.tif 000002
【実用新案登録請求の範囲】
【請求項１】
一端に出し入れ口を、他端側に襠部を形成した衣料用の包装袋において、包装袋の襠部形成側端部に突出するようにしてハンガーを取り付けたハンガー取付片を一体に形成し、該ハンガー取付片を折り返して包装袋の外側に形成したハンガー収納部にハンガーと共に収納できるようにしたことを特徴とする吊垂陳列可能な衣料用包装袋。
【請求項２】
ハンガー収納部を、包装袋の外側に沿って帯状のハンガー収納部形成片を配設し、該収納部形成片の側縁を包装体の側縁に接着し、非接着片縁を開口して包装体より折り曲げるハンガー取付片を挿入できるように形成したことを特徴とする請求項１記載の吊垂陳列可能な衣料用包装袋。
【請求項３】
ハンガーを、ハンガー取付片に対して揺動可能に取り付けたことを特徴とする請求項１又は２記載の吊垂陳列可能な衣料用包装袋。
【考案の詳細な説明】
【技術分野】
【０００１】
本考案は、吊垂陳列可能な衣料用包装袋に関し、特に、ワイシャツ、スポーツシャツ等の衣料を包装する包装袋に、ハンガーを収納可能に設けて必要に応じて衣料品を吊垂して陳列展示できるようにした吊垂陳列可能な衣料用包装袋に関するものである。
【背景技術】
【０００２】
従来、ワイシャツ、スポーツシャツ等の衣料品は、陳列展示時に塵埃などにより衣料が汚れるのに防止するため透明な合成樹脂製の包装袋内に収納している。
このため、色違い、各種のサイズなど多数の衣料品を陳列する場合、陳列台上に複数枚を積み重ねるようにして陳列展示するため、顧客からしてみれば重積された衣料品の内、最上段のものはその内容を目視により簡易に確認することができるが、最上段から２段目以下は表面からは目視することができないので、重積され整理されている衣料品をひっくり返して下段側の衣料品を確認するようにしている。
【０００３】
ところで、包装袋に収納した衣料品を重積することなく、すべての衣料品の確認を目視にて行えるようにするために、吊垂して陳列展示するのがよい。
しかし、従来の包装袋では、これを吊垂するためのハンガーが付属していないので直接吊垂して陳列展示することができないという問題があった。
【０００４】
また、従来の包装袋にハンガーを取り付ければ、吊垂して陳列展示することができるが、この方法ではハンガーの取り付けに手数を要するとともに、ハンガー分だけ衣料品が嵩張るという問題があった。
【０００５】
また、特許文献１に開示されたものは、クリーニング後の衣料を収納する袋に針金製のハンガーを一体に取り付けている。しかし、この方法では包装袋の上部針金製のハンガーが突出しており、とても嵩張るとともに、衣料品を吊垂して陳列展示するには相応しくないという問題があった。
【先行技術文献】
【特許文献】
【０００６】
【特許文献１】特開平６−４０５４９号公報
【考案の概要】
【考案が解決しようとする課題】
【０００７】
本考案は、上記従来の衣料用包装袋の有する問題点に鑑み、ハンガーを包装袋の一部に嵩張らないようにして収納可能に設けることにより、該ハンガーを必要に応じて引き出す等により衣料品を吊垂して陳列展示できるようにした吊垂陳列可能な衣料用包装袋を提供することを目的とする。
【課題を解決するための手段】
【０００８】
上記目的を達成するため、吊垂陳列可能な衣料用包装袋は、一端に出し入れ口を、他端側に襠部を形成した衣料用の包装袋において、包装袋の襠部形成側端部に突出するようにしてハンガーを取り付けたハンガー取付片を一体に形成し、該ハンガー取付片を折り返して包装袋の外側に形成したハンガー収納部にハンガーと共に収納できるようにしたことを特徴とする。
【０００９】
この場合において、ハンガー収納部を、包装袋の外側に沿って帯状のハンガー収納部形成片を配設し、該収納部形成片の側縁を包装体の側縁に接着し、非接着片縁を開口して包装体より折り曲げるハンガー取付片を挿入できるように形成することができる。
ここで、本明細書（本考案）において、「接着」には、接着剤で接着を行うもののほか、熱又は溶剤によって接着（溶着）を行うものを含むものとする（以下、同じ。）。
【００１０】
また、ハンガーを、ハンガー取付片に対して揺動可能なように取り付けるようにすることができる。
【考案の効果】
【００１１】
本考案の吊垂陳列可能な衣料用包装袋によれば、一端に出し入れ口を、他端側に襠部を形成した衣料用の包装袋において、包装袋の襠部形成側端部に突出するようにしてハンガーを取り付けたハンガー取付片を一体に形成し、該ハンガー取付片を折り返して包装袋の外側に形成したハンガー収納部にハンガーと共に収納できるように構成することにより、ハンガーを包装袋の一部に嵩張らないようにして収納可能に設けているので、該ハンガーを必要に応じて容易に引き出すことができ、これにより衣料品を吊垂して陳列展示できるため、顧客が簡易に収納衣料品の確認を目視により簡易に、確実に行うことができる。
【００１２】
また、ハンガー収納部を、包装袋の外側に沿って帯状のハンガー収納部形成片を配設し、該収納部形成片の側縁を包装体の側縁に接着し、非接着縁を開口して包装体より折り曲げるハンガー取付片を挿入できるように形成することにより、ハンガーの取り出しが簡易に、迅速に行えるので、店内でのディスプレーが短時間に行うことができる。
【００１３】
また、ハンガーを、ハンガー取付片に対して揺動可能なように取り付けるようにすることにより、吊垂展示が容易に行うことができる。
【図面の簡単な説明】
【００１４】
【図１】本考案の吊垂陳列可能な衣料用包装袋の一実施例を示し、包装袋内に衣料品を収納した状態を示す正面図である。
【図２】衣料品収納前の裏面図である。
【図３】同側面図である。
【図４】吊垂陳列するため収納袋からハンガーを取り出した状態を示す拡大側断面図である。
【図５】同ハンガーを収納袋内に収納した状態を示す拡大側断面図である。
【考案を実施するための形態】
【００１５】
以下、本考案の吊垂陳列可能な衣料用包装袋の実施の形態を、図面に基づいて説明する。
【００１６】
図１〜図５に、本考案の吊垂陳列可能な衣料用包装袋の一実施例を示す。
この吊垂陳列可能な衣料用包装袋は、一端側を開口してカッターシャツ等の折り畳んだ状態とした衣料品Ｓの出し入れを可能とし、かつ該開口部Ｏを閉じるように折り返し可能に蓋片８を連接した筒状袋の他端側に襠部３を一体に形成して構成する包装袋Ｂと、該包装袋Ｂの外側で折り返したハンガー取付片４を収納できるように形成したハンガー収納部Ａと、ハンガー取付片４に揺動可能にして取り付けたハンガーＨとより構成する。
【００１７】
この包装袋Ｂは、従来カッターシャツ等を収納して展示販売している衣料用包装袋と同様に一般に合成樹脂製の筒状袋で、その表片１の一端に蓋片８を突設するようにして連接し、これを包装袋Ｂの裏片２に沿って折り返しできるようにし、開口部Ｏより所定の衣料品Ｓを収納した後、該蓋片８を折り返して包装袋Ｂの裏片２に接着（粘着剤による開封可能な接着）などにて妄りに開口しないようにするとともに、他端側にはカッターシャツの衿が収納できるよう襠部３を形成し、この襠部３の外側にハンガー取付片４を包装袋側に接着部７を介して取り付ける。
なお、本実施例においては、ハンガー取付片４は、包装袋Ｂを延伸部を利用して形成するようにし、包装袋Ｂと接着部７を介して区画して形成するようにしている。
このハンガー取付片４には取付具５１、例えば、頭付の鋲などを介してハンガーＨを揺動可能に取り付けるが、このハンガーＨに掛かる荷重に対しても妄りにハンガー取付片４が破損しないよう、必要に応じて袋状としたハンガー取付片４の内部に心材となる補強板５、これは特に限定されるものではないが、例えば、厚紙等を挿入し、ハンガー取付片４と一体とする。
【００１８】
この場合、ハンガー取付片４を、包装袋Ｂの外面側に形成するハンガー収納部Ａへの収納を確実に行うため、包装袋Ｂの幅よりもハンガー取付片４の幅を小さく形成し、この包装袋Ｂの端部とハンガー取付片４の端部とが、図２に示すように、傾斜し、かつこの外縁を接着して襠部３を一体に形成する。
【００１９】
ハンガー収納部Ａは、包装袋Ｂの裏片２の外側に沿うようにして帯状のハンガー収納部形成片６を配設し、かつ該帯状のハンガー収納部形成片６の左右の両側縁６２を包装袋Ｂの側縁Ｂ１を袋を形成するために接着する際に同時に接着することにより一体となるように形成する。
このハンガー収納部形成片６の大きさは、ハンガーＨを突設したハンガー取付片４よりも少し大きくなるようにして定める。
なお、この場合、帯状のハンガー収納部形成片６の未接着縁を開口するようにし、この開口縁部６１より折り返したハンガー取付片４をハンガー収納部Ａ内へ挿入できるようにする。
【００２０】
このように構成する吊垂陳列可能な衣料用包装袋は、その開口部Ｏより折り畳んだカッターシャツなどの衣料品Ｓを挿入し、蓋片８を折り返して包装袋Ｂの裏片２に接着（粘着剤による開封可能な接着）して閉口する。この包装袋内に衣料品Ｓを挿入するとその衿部は本体部よりも厚さが増しているため、この衿部の厚さにより包装袋Ｂの襠部３は自然と膨らむようになってしっくり包装袋内に収納される。
なお、この場合、ハンガーＨ及びハンガー取付片４は、図５に示すように、ハンガー収納部Ａに収められているので、従来の衣料用包装袋と同じ形態となっている。
したがって、これを複数段に積み重ねても従来品と同じように嵩低くなるようにすることができる。
【００２１】
しかし、これを図１に示すように、包装袋Ｂ内に収納した状態で、かつ顧客からすべての商品が目視にて識別できるようにするため、吊垂して展示陳列することができる。この場合は、図４及び図５に示すように、他のハンガー等を用いることなく、付設のハンガー取付片４をハンガー収納部Ａより引き出すようにして取り出す。これによりハンガー取付片４は包装袋Ｂより外部に突出するようになる。このハンガーＨを展示用のフックやバー（図示省略）に引っ掛けることですべての包装袋が、恰もスーツなどと同じように外部から目視にて容易に確認することができるよう、吊垂展示が可能となる。
また、包装袋を開けることなく展示できるので、展示中に塵埃が包装袋内に侵入することがないので商品を汚すことがない。
【００２２】
以上、本考案の吊垂陳列可能な衣料用包装袋について、その実施例に基づいて説明したが、本考案は上記実施例に記載した構成に限定されるものではなく、その趣旨を逸脱しない範囲において適宜その構成を変更することができるものである。
【産業上の利用可能性】
【００２３】
本考案の吊垂陳列可能な衣料用包装袋は、ハンガーを包装袋の一部に嵩張らないようにして収納可能に設けることにより、該ハンガーを必要に応じて引き出す等により衣料品を吊垂して陳列展示できるという特性を有していることから、ワイシャツ等の衣料品の吊垂陳列の用途に好適に用いることができるほか、例えば、嵩低い平板状商品の展示用の用途にも用いることができる。
【符号の説明】
【００２４】
Ａ    ハンガー収納部
Ｂ    包装袋
Ｂ１  側縁
Ｏ    開口部
Ｓ    衣料品
Ｈ    ハンガー
１    表片
２    裏片
３    襠部
４    ハンガー取付片
５    補強板
６    ハンガー収納部形成片
６１  開口縁部
６２  側縁
７    接着部
８    蓋片
【図１】
0003166850.tif 000003
【図２】
0003166850.tif 000004
【図３】
0003166850.tif 000005
【図４】
0003166850.tif 000006
【図５】
0003166850.tif 000007